(57)【特許請求の範囲】
【請求項１】
ポンプハウジング内で回転する回転羽根を駆動するモータの駆動軸に水切り板を備え、上記水切り板は、上記回転羽根と上記駆動軸に具備される円板状のフランジ部及び円筒部を有するカラーとの間に設けられていることを特徴とする排水ポンプ。
【請求項２】
上記カラーのフランジ部と反対側の円筒部の端面が、上記モータの軸受用潤滑オイルの受け面を形成していることを特徴とする請求項１記載の排水ポンプ。
【発明の詳細な説明】
【０００１】
【発明の属する技術分野】
本発明は排水ポンプ、特に空調機に装備される排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたハウジング内に羽根を回転自在に設け、この羽根をハウジングの開口の上部にカバーを介して固定したモータにより回転させている。そのモータの駆動軸は、カバーに形成された貫通穴を回転自在に貫通して羽根のシャフト部に連結され、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
【０００３】
かかる従来の排水ポンプにおいては、ハウジングの開口の上部に設けたカバーに形成した貫通穴よりドレン水が吹き出す場合があり、吹き出したドレン水がモータに飛散し、モータの作動不良を生じる原因となる。
このため、従来の排水ポンプにおいては、上記カバーの貫通穴からドレン水が吹き出すのを防止するために、上記貫通穴の上部の位置にて駆動軸に円板状の水切り板を具備して、ドレン水が吹き出すのを防止している。
【０００４】
【発明が解決しようとする課題】
しかるに、従来の排水ポンプにおいては、水切り板がモータ側に移動する場合があり、この場合には水切り板がモータのブラケットに接触し、水切り板の周辺部が振動して騒音の原因になるという問題点があった。
かかる点に鑑み本発明は、水切り板がモータに接触することのないようにすると共に、モータの駆動軸の軸受の潤滑性を向上したドレンポンプを提供することを目的とする。
【０００５】
【課題を解決するための手段】
前記目的を達成するために本発明に係る排水ポンプは、ポンプハウジング内で回転する回転羽根を駆動するモータの駆動軸に水切り板を備え、上記水切り板は、上記回転羽根と上記駆動軸に具備される円板状のフランジ部及び円筒部を有するカラーとの間に設けられていることを特徴とする。
【０００６】
そして、本発明の排水ポンプの具体的態様は、上記カラーのフランジ部と反対側の円筒部の端面が、上記モータの軸受用潤滑オイルの受け面を形成していることを特徴としている。
かかる特徴により、水切り円板がモータ側に移動するのを阻止することができると共に、モータの駆動軸の軸受の潤滑構造を実現することができる。
【０００７】
【発明の実施の形態】
図１は、本発明の排水ポンプを一部を断面にして示す側面図、図２は図１の要部の拡大図である。
全体を符号１０で示す本発明の排水ポンプのポンプ本体は、ハウジング２０と蓋２２とから構成されるポンプハウジングと、ポンプハウジング内に収容される回転羽根３０を有する。ハウジング２０は、ポンプ室２１ｃに連結されるドレン水の吸込口２１ａ、吐出口２１ｂを有する。
【０００８】
ハウジング２０の上部に取り付けられる蓋２２の中央には、貫通穴２４が設けられ、モータの駆動軸６０が貫通穴２４を貫通し、回転羽根３０に設けられたシャフト部３２の有底の穴３４に挿入される。
【０００９】
モータ５０は、外側に配設されるステータ５１を有し、モータ５０の上下のブラケット５２内には、ロータ５４が装備され、モータの駆動軸６０を回転駆動する。駆動軸６０は、上下のモータブラケット５２に対して、上下の２個所に配設される軸受７０，８０によって支持される。
【００１０】
軸受７０，８０は、例えば、鉄銅系の焼結合金によりつくられるもので、多孔質の構造を有し、含油性の良い軸受が形成される。この軸受７０，８０の外側には、フェルト等の含油部材７２，８２が挿入され、リング状のバネ７４，８４によって上下のブラケット５２に対して保持される。
【００１１】
モータの駆動軸６０は、モータのブラケット５２から突出し、回転羽根３０のシャフト３２に設けられた有底の穴３４内に圧入され、回転羽根３０を駆動する。なおシャフト３２に有底の穴３４を設けたが、貫通穴でもよい。
シャフト３２の上面には、薄いプラスチックフィルム製の水切り円板４０がモータの駆動軸６０が貫通する構成でとりつけられる。
【００１２】
そして、本発明の排水ポンプにあっては、このモータの駆動軸６０にプラスチック製のカラー１００が圧入状態に取り付けられる。駆動軸６０へのカラー１００の取付けは１部品のため容易に行える。
【００１３】
図２に示すように、このカラー１００は、円筒部１０５と円板状のフランジ部１１０とを有するもので、フランジ部１１０が水切り円板４０の上部に位置している。
このフランジ部１１０は、例えば排水ポンプの停止時に、蓋２２の貫通穴２４から漏れ出す吐出配管（図示せず）から戻ってきたドレン水がモータ側へ飛散するのを防止する水切り円板４０がモータ側へ押し上げられることを阻止する。即ち、水切り円板４０が移動しても、水切り円板４０はフランジ部１１０に当接し、モータ側への移動は阻止される。しかも、水切り円板４０の径はフランジ部１１０の径より大きいので、水切り円板４０の中心部のみがフランジ部１１０に当接することになり、水切り円板４０の周辺部が振動することは生じないのである。
【００１４】
また、このフランジ部１１０は円筒部１０５と一体であるので、モータ駆動軸６０の軸線に直交して配置され、回転時の風切り騒音等の発生は、最小限に押えられるとともに、蓋２２やモータブラケット５２と接触することはない。
【００１５】
さらに、カラー１００の上端面１２０と、軸受８０との間に潤滑オイルの油溜部１３０を形成し、潤滑オイルの漏出を防止する機能を有する。すなわち、オイル受け面である上端面１２０と軸受８０とは近接対向し、その間隙は０．５ｍｍ程度に設定してある。
モータの駆動が開始され、駆動軸６０が軸受８０に支持されて回転すると、オイルは温度が上昇して粘度が低下し、オイルが軸との間にしみ出てくる。粘度が低下したオイルは、円筒部１０５の上端面１２０上に載るが、表面張力によって、上端面１２０上に保持され、油溜部１３０を形成する。
【００１６】
モータが停止すると、多孔質の材料でつくられた軸受８０は、毛細管現象によって円筒部の上端面１２０上に溜ったオイルを軸受８０内に吸収し、油溜部１３０はなくなる。
この円筒部の作用によって、モータの軸受を潤滑するオイルの漏出は防止される。
【００１７】
【発明の効果】
本発明の排水ポンプは以上のように、ポンプハウジングの蓋を貫通する駆動軸の外周に、円板状のフランジ部と円筒部とを有するカラーを設けたものであるので、水切り円板のモータ側への移動を阻止し、モータ部へ水滴がかかるのを防止する。
【００１８】
また、カラーの円筒部の上端面は、モータの軸受の潤滑オイルの受け面を構成して軸受との間に油溜部を形成し、オイルの表面張力を利用して、オイルを保持する。軸受は、焼結合金等でつくられ、オイル受け面に溜ったオイルを毛細管現象を利用して吸引するものである。
【図面の簡単な説明】
【図１】本発明の排水ポンプを一部断面にして示す側面図。
【図２】図１の要部を示す説明図。
【符号の説明】
１０  排水ポンプ
２０  ハウジング
２２  蓋部
２４  貫通穴
３０  回転羽根
３２  シャフト
５０  モータ
６０  モータの駆動軸
７０，８０  軸受
１００  カラー
１０５  円筒部
１１０  フランジ部
１２０  オイル受け面
１３０  油溜部
【図１】
0004294143.tif 000002
【図２】
0004294143.tif 000003